(57)【特許請求の範囲】
【請求項１】
巻き取り装置による巻き取りのために、搬送路に沿って送られる圧延材料を、該搬送路の上下に配された一対の刃付き回転ドラム間に挟んで切断する圧延材料の切断装置において、
前記一対の回転ドラムを回転駆動する駆動装置と、
前記回転ドラムの回転により前記回転ドラムの刃同士が相互に噛合って圧延材料を切断する切断位置に達したとき切断位置信号を生じる第１の手段と、
前記一対の回転ドラムを相互に接近したり離間したりする開閉装置と、
この開閉装置による前記回転ドラムの開閉動作により、前記一対の回転ドラムが相互に最も接近したとき最接近信号を生じる第２の手段と、
前記圧延材料の搬送量に応じた搬送量信号を生じる第３の手段と、
前記巻き取り装置の近傍直前位置に設けられ、切断された前記圧延材料の後端到来を検出して端部検出信号を形成する材料端検出手段と、
前記第１の手段からの切断位置信号および前記第２の手段からの最接近信号が与えられたとき前記第３の手段による搬送量信号を計測開始し、前記第３の手段による搬送量信号が前記圧延材料の切断端後端が前記材料端検出手段の位置に到達するまでの長さに対応する所定量に達したとき切断点到達信号を生じる計測手段と、
前記計測手段からの切断点到達信号および前記材料端検出手段からの端部検出信号が一致して同時に与えられるか否かにより前記圧延材料の切断成否を判定する判定手段と、
この判定手段から切断不成功の出力が与えられたとき警報を生じるアラーム手段と
をそなえたことを特徴とする圧延材料の切断装置。
【請求項２】
請求項１記載の圧延材料の切断装置において、
前記判定手段からの切断不成功の出力が与えられたとき、前記駆動装置および前記開閉装置を再起動する再切断指令回路をさらにそなえた圧延材料の切断装置。
【請求項３】
請求項１記載の圧延材料の切断装置において、
前記判定手段からの切断不成功の出力の回数を計測し、所定回数に達したとき前記巻き取り装置を含む設備を停止させる設備停止指令回路をさらにそなえた圧延材料の切断装置。
【発明の詳細な説明】
【０００１】
【発明が属する技術分野】
本発明は、圧延装置において圧延された材料を切断して巻き取る、巻き取り用の材料切断装置に係り、とくに予期せぬ切断失敗に対処するための圧延材料の切断装置に関する。
【０００２】
【従来の技術】
圧延装置における材料の切断を行う切断装置は、切断刃を有し圧延材の上下でそれぞれ回転する一対のドラムと、この一対のドラム相互間を開閉する装置とをそなえ、材料を所定量送る毎に回転ドラム相互間を閉じて切断歯により切断している。
【０００３】
この場合、切断成否の検出は、上側回転ドラムの切断刃の下死点と上側回転ドラムの下降限（閉限）位置との一致で切断と判定している。
【０００４】
【発明が解決しようとする課題】
このため、何らかの異常が発生して上側回転ドラムの下死点および上側回転ドラム下降限の検出にずれが生じた場合、実際には切断されていないにも拘らず切断判定をしてしまう不具合がある。切断失敗状態で巻き取りを続けると、巻き取り限界量を超えた巻き取りによって巻き取り設備の破損を招くことになる。そこで、オペレータによる監視を必要としている。
【０００５】
本発明は上述の点を考慮してなされたもので、圧延材料の切断失敗を確実に検出し、切断失敗から派生する不具合を未然に防止し得る圧延材料の切断装置を提供するものである。
【０００６】
【課題を解決するための手段】
上記目的達成のため、本発明では、
巻き取り装置による巻き取りのために、搬送路に沿って送られる圧延材料を、該搬送路の上下に配された一対の刃歯付き回転ドラム間に挟んで切断する圧延材料の切断装置において、
前記一対の回転ドラムを回転駆動する駆動装置と、
前記回転ドラムの回転により前記回転ドラムの刃同士が相互に噛合って圧延材料を切断する切断位置に達したとき切断位置信号を生じる第１の手段と、
前記一対の回転ドラムを相互に接近したり離間したりする開閉装置と、
この開閉装置による前記回転ドラムの開閉動作により、前記一対の回転ドラムが相互に最も接近したとき最接近信号を生じる第２の手段と、
前記圧延材料の搬送量に応じた搬送量信号を生じる第３の手段と、
前記巻き取り装置の近傍直前位置に設けられ、切断された前記圧延材料の後端到来を検出して端部検出信号を形成する材料端検出手段と、
前記第１の手段からの切断位置信号および前記第２の手段からの最接近信号が与えられたとき前記第３の手段による搬送量信号を計測開始し、前記第３の手段による搬送量信号が前記圧延材料の切断端後端が前記材料端検出手段の位置に到達するまでの長さに対応する所定量に達したとき切断点到達信号を生じる計測手段と、
前記計測手段からの切断点到達信号および前記材料端検出手段からの端部検出信号が一致して同時に与えられるか否かにより前記圧延材料の切断成否を判定する判定手段と、
この判定手段から切断不成功の出力が与えられたとき警報を生じるアラーム手段と
をそなえたことを特徴とする圧延材料の切断装置、
を提供するものである。
【０００７】
【発明の実施の形態】
図１は、本発明の一実施例の構成を示したブロック線図である。この図１において、圧延材料Ｘは巻き取り装置１１および１２に交互に巻き取られていく。そのために、搬送ピンチローラ２１により案内されてきた圧延材料Ｘは、搬送路の上下に配されている一対の回転ドラム２２に設けられた切断刃２３により切断された上で、ピンチローラ２６を介して巻き取り装置１１に、さらにピンチローラ２７を介して巻き取り装置１２に送られ、巻き取られる。
【０００８】
この図では、圧延材料Ｘを巻き取り装置１１に巻き取っている状態を示している。すなわち、搬送路を送られた圧延材料Ｘは、太線で示すように、ピンチローラ２１を経て回転ドラム２２に達し、切断刃２３により切断されたのち巻き取り装置１１に巻き取られる。
【０００９】
一対の回転ドラム２２は、駆動装置２４により回転駆動され、開閉装置２５により相互間の開閉が行われる。駆動装置２４による回転ドラム２２の回転により切断刃２３の位置が変化するから、駆動装置２４から上側回転ドラムの切断刃が下死点に達したとき、切断刃下死点信号を接点出力として生じるようになっている。また、開閉装置２５は一対の回転ドラムの相互間を開閉するものであるから、開閉装置２５が上側回転ドラムが下降限に達したとき、回転ドラム下限信号を接点出力として生じるようになっている。これら両信号の生じるときが、圧延材料の切断が行われるときである。
【００１０】
そして、切断刃下死点信号および回転ドラム下限信号が与えられたときを起点にして、巻き取り装置１１，１２による巻き取り量を、パルス発生器ＰＧ１，ＰＧ２およびこれらパルス発生器ＰＧ１，ＰＧ２の発生パルスが与えられるトラッキングカウンタＴＣ１，ＴＣ２により計測する。そして、トラッキングカウンタＴＣ１，ＴＣ２が所定量のパルス数、すなわち切断端後端が巻き取り装置１１，１２の直前に取り付けられた材料端検出装置ＤＴ1，ＤＴ２の取り付け位置に達するまでの長さに対応したパルス数を計数したとき、各トラッキングカウンタＴＣ１，ＴＣ２から接点出力として判定回路ＣＤ１，ＣＤ２に出力するようにしている。
【００１１】
他方、巻き取り装置１１、１２の直前位置に設けられた材料端検出装置ＤＴ１、ＤＴ２は透過型検出を行うもので、圧延材料の切断端すなわち後端が通過すると検出信号を接点出力として判定回路ＣＤ１，ＣＤ２に出力する。
【００１２】
各トラッキングカウンタＴＣ１，ＴＣ２の接点出力は、切断歯による切断後の圧延材の搬送長さから割り出した切断点到達予測を表し、材料端検出装置ＤＴ１，ＤＴ２の接点出力は実際の切断点到達を表している。したがって、切断が不具合なく行われていれば、両接点出力が同時に発生する。これに対して切断に失敗していると、トラッキングカウンタＴＣ１またはＴＣ２からの接点出力が与えられても、材料端検出装置ＤＴ１またはＤＴ２からの接点出力は与えられないことになる。
【００１３】
そして、判定回路ＣＤ１，ＣＤ２は、トラッキングカウンタＴＣ１またはＴＣ２からの出力が与えられたとき、同時に材料端検出装置ＤＴ１またはＤＴ２の出力が与えられるか否かにより切断の成否を判定して判定結果を接点出力する。切断の成否に関しては、トラッキングカウンタから発せられる切断点計測で得られた切断点到達信号がオンしている場合、透過型材料検出装置から発せられる材料端部検出信号がオンすると、そのときに「切断成立」と判断される。
【００１４】
切断が成功であればよいが、不成功であると再度切断動作を行う必要がある。そのために、アラーム回路ＡＬが判定回路ＣＤ１またはＣＤ２の出力が与えられると警報を発する。これにより、オペレータは切断の失敗を知る。一方、再切断指令回路ＲＣが判定回路ＣＤ１およびＣＤ２の出力を監視しており、切断失敗であると駆動装置２４および開閉装置２５に対して再切断指令を与える。この再切断は最初の切断と同様の手順によって行われ、切断の検出も上述と同様に行われる。
【００１５】
再切断しても切断できないときは、設備停止を行う。巻き取り装置を破損したり材料の無駄を生じないないためである。そのために、カウンタＣＴが判定回路ＣＤ１またはＣＤ２の切断不成功出力の回数を計数して切断失敗が２度続いたら、設備停止指令を発して巻き取り装置全体を停止する。そして、原因の除去をまって再始動する。
【００１６】
図２は、図１の実施例の主要部の動作を、ブロック線図およびフローチャートを交えて示したものである。
【００１７】
この図２に示すように、駆動装置２４および開閉装置２５の接点出力は、両者のアンドが取られた上でトラッキングカウンタＴＣに与えられる。トラッキングカウンタＴＣは、パルス発生器ＰＧからの圧延材料搬送距離に応じたパルスを計数するカウンタを内蔵しており、このカウンタの計数値が回転ドラムと材料端検出器との間の設備距離Ｌに等しくなったら接点出力を判定回路ＣＤに与える。
【００１８】
判定回路ＣＤは、トラッキングカウンタＴＣの接点出力を材料端検出器ＤＴからの材料端検出接点出力と比較し、その一致いかんによる判定を行う。一致すれば切断成功、一致しなければ切断失敗である。そして、切断失敗のときは上述のように、アラーム回路ＡＬによる警報発令、再切断指令回路ＲＣによる再切断指令を行い、さらに再切断にも失敗すればカウンタによる設備停止指令を行う。
【００１９】
【発明の効果】
本発明は上述のように、切断刃による切断後の圧延材の搬送長さから割り出した切断点到達予測と実際の切断点到達とを対比して両者のずれの有無によって切断の成否を判定するため、種々の効果を奏する。
【００２０】
まず請求項１記載の装置によれば、切断失敗時は警報を発するため、切断失敗による不測の事態を回避することができる。
【００２１】
次に請求項２記載の装置によれば、切断失敗時は切断のための各要素を再起動するため、直ちに対処することができる。
【００２２】
さらに、請求項３記載の装置によれば、再切断に失敗したとき巻き取り装置全体を停止させるため、設備破損などの事態を回避できる。
【図面の簡単な説明】
【図１】  本発明の一実施例の構成を示すブロック線図的説明図。
【図２】  図１の実施例の主要部の動作を示すブロック線図とフローチャートとを交えた説明図。
【符号の説明】
１１，１２  巻き取り装置
２１，２６，２７  ピンチローラ
２２  回転ドラム
２３  切断刃
２４  駆動装置
２５  開閉装置
ＰＧ  パルス発生器
ＴＣ  トラッキングカウンタ
ＣＤ  判定回路
ＲＣ  再切断回路
ＡＬ  アラーム回路
【図１】
0003761107.tif 000002
【図２】
0003761107.tif 000003